(57)【特許請求の範囲】
【請求項１】
モータと、
前記モータの下流に接続された第１遊星減速ギアと、
前記第１遊星減速ギアの下流に接続された第２遊星減速ギアと、
前記第２遊星減速ギアの下流に接続されたデファレンシャルギアと、
前記デファレンシャルギアの下流に接続されたドライブシャフトと、を有し、
前記ドライブシャフトは、前記モータのロータの内周と、前記第１遊星減速ギアのサンギアの内周と、前記第２遊星減速ギアのサンギアの内周と、を貫通して配置されており、
前記デファレンシャルギアは、デファレンシャルケースを有し、
前記第１遊星減速ギアと前記第２遊星減速ギアの間に位置する前記デファレンシャルケースの一部を、第１軸受を介してケース部材の内周側に支持し、
前記第１遊星減速ギアの出力要素と前記第２遊星減速ギアの入力要素とが係合する部分は、前記第１軸受の内周側で前記第１軸受と径方向にオーバーラップする部分を有する、動力伝達装置。
【請求項２】
請求項１において、
前記第２遊星減速ギアは、サンギアが入力要素であり、キャリアが出力要素であり、リングギアが固定要素であり、
前記デファレンシャルケースは前記キャリアと一体形成されている動力伝達装置。
【請求項３】
請求項１又は請求項２において、
前記第２遊星減速ギア側と反対側に位置する前記デファレンシャルケースは、前記デファレンシャルケースを収容する前記ケース部材に第２軸受を介して支持されている動力伝達装置。
【請求項４】
請求項１乃至請求項３のいずれか一において、
前記ケース部材は、前記第１遊星減速ギアと前記第２遊星減速ギアとの間に壁部を有し、
前記第１軸受は、前記壁部の内周に配置されている動力伝達装置。
【請求項５】
請求項１乃至請求項３のいずれか一において、
前記第１遊星減速ギアと前記第２遊星減速ギアの間に位置する前記デファレンシャルケースの外周部が前記第１軸受を介して前記ケース部材の内周側に支持されている動力伝達装置。
【請求項６】
請求項５において、
前記第１軸受は径方向において前記第１遊星減速ギアとオーバーラップする動力伝達装置。
【請求項７】
請求項６において、
前記第１軸受は軸方向において前記第２遊星減速ギアとオーバーラップする動力伝達装置。
【請求項８】
モータと、
前記モータの下流に接続された第１遊星減速ギアと、
前記第１遊星減速ギアの下流に接続された第２遊星減速ギアと、
前記第２遊星減速ギアの下流に接続されたデファレンシャルギアと、
前記デファレンシャルギアの下流に接続されたドライブシャフトと、を有し、
前記ドライブシャフトは、前記モータのロータの内周と、前記第１遊星減速ギアのサンギアの内周と、前記第２遊星減速ギアのサンギアの内周と、を貫通して配置されており、
前記デファレンシャルギアは、デファレンシャルケースを有し、
前記第１遊星減速ギアと前記第２遊星減速ギアの間に位置する前記デファレンシャルケースの一部を、第１軸受を介してケース部材の内周側に支持し、
前記第１遊星減速ギア側の連結部と、前記第２遊星減速ギア側の連結部と、が連結されており、前記第１遊星減速ギア側の連結部の先端は、前記第２遊星減速ギアのサンギアの側面に間隔をあけて対向している、動力伝達装置。
【請求項９】
請求項８において、
前記第２遊星減速ギアのキャリアは、前記第１遊星減速ギア側の連結部と前記第２遊星減速ギア側の連結部との噛み合い部分の径方向外側に位置する筒状部を有する動力伝達装置。
【請求項１０】
請求項９において、
前記筒状部の先端は、前記第１遊星減速ギアに間隔をあけて対向している動力伝達装置。
【請求項１１】
請求項９又は請求項１０において、
前記筒状部の外周に前記第１軸受が設けられている動力伝達装置。
【請求項１２】
請求項１乃至請求項８のいずれか一において、
前記デファレンシャルケースの内部に収容されるかさ歯車を有する動力伝達装置。
【請求項１３】
請求項８において、
前記第１遊星減速ギアのピニオンは段無しピニオンであり、且つ、前記第２遊星減速ギアのピニオンは段付きピニオンであり、
前記段付きピニオンは、前記デファレンシャルケースに支持されている動力伝達装置。
【請求項１４】
モータと、
前記モータの下流に接続された第１遊星減速ギアと、
前記第１遊星減速ギアの下流に接続された第２遊星減速ギアと、
前記第２遊星減速ギアの下流に接続されたデファレンシャルギアと、
前記デファレンシャルギアの下流に接続されたドライブシャフトと、を有し、
前記ドライブシャフトは、前記モータのロータの内周と、前記第１遊星減速ギアのサンギアの内周と、前記第２遊星減速ギアのサンギアの内周と、を貫通して配置されており、
前記デファレンシャルギアは、デファレンシャルケースを有し、
前記第１遊星減速ギアと前記第２遊星減速ギアの間に位置する前記デファレンシャルケースの一部を、前記第１遊星減速ギアのリングギアの外周側で第１軸受を介してケース部材に支持する、動力伝達装置。
【請求項１５】
請求項１４において、
前記第１遊星減速ギアの出力要素と前記第２遊星減速ギアの入力要素とが係合する部分は、前記第１軸受の内周側で前記第１軸受と径方向にオーバーラップする部分を有する、動力伝達装置。
【発明の詳細な説明】
【技術分野】
【０００１】
本発明は、動力伝達装置に関する。
【背景技術】
【０００２】
特許文献１から特許文献３には、動力伝達装置が開示されている。
【先行技術文献】
【特許文献】
【０００３】
【特許文献１】特開２０１３−２２１５６６号公報
【特許文献２】特開２０１６−８９８６０号公報
【特許文献３】特開２０１８−１０３６７６号公報
【０００４】
特許文献１の動力伝達装置は、回転伝達に関与する３つの回転軸が並列に並んでおり、縦方向（重力方向）にサイズアップしやすい（以下、３軸タイプと呼ぶこととする）。【０００５】
特許文献２の動力伝達装置は、モータのロータが中空軸となっており、この中空軸の内部をドライブシャフトが貫通している。そのため、３軸タイプと比較して縦方向のサイズダウンが可能となるが、大きなカウンタギアを配置しているため、縦方向にサイズアップしてしまう（以下、２軸タイプと呼ぶこととする）。【０００６】
特許文献３の動力伝達装置は、カウンタギアではなく、段付きピニオンを有する遊星減速ギアを用いており、２軸タイプと比較して縦方向のサイズダウンが可能となる（以下、１軸タイプと呼ぶこととする）。【０００７】
１軸タイプでは、遊星減速ギアを用いていることから、２軸タイプ及び３軸タイプと比較して減速比が小さくなる傾向にある。
そのため、１軸タイプの動力伝達装置において、減速比を大きくすると共に、デファレンシャルギアの支持の安定性を高めることが求められている。
【発明の概要】
【０００８】
本発明のある態様における動力伝達装置は、
モータと、
前記モータの下流に接続された第１遊星減速ギアと、
前記第１遊星減速ギアの下流に接続された第２遊星減速ギアと、
前記第２遊星減速ギアの下流に接続されたデファレンシャルギアと、
前記デファレンシャルギアの下流に接続されたドライブシャフトと、を有し、
前記ドライブシャフトは、前記モータのロータの内周と、前記第１遊星減速ギアのサンギアの内周と、前記第２遊星減速ギアのサンギアの内周と、を貫通して配置されており、
前記デファレンシャルギアは、デファレンシャルケースを有し、
前記第１遊星減速ギアと前記第２遊星減速ギアの間に位置する前記デファレンシャルケースの一部を、第１軸受を介してケース部材の内周側に支持し、前記第１遊星減速ギアの出力要素と前記第２遊星減速ギアの入力要素とが係合する部分は、前記第１軸受の内周側で前記第１軸受と径方向にオーバーラップする部分を有する。
【０００９】
第２遊星減速ギアのデファレンシャルギアと同一回転する要素と、デファレンシャルケースは、高剛性に一体化されている。そのため、第２遊星減速ギアのデファレンシャルケースと一体化された要素を、第２遊星減速ギアの第１遊星減速ギア側に設けた軸受を介して、固定側部材であるケース部材に支持させた構成を採用すると、減速比を大きくすると共に、デファレンシャルギアの支持の安定性を高めることができる。
【図面の簡単な説明】
【００１０】
【図１】本実施形態にかかる動力伝達装置を説明する図である。
【図２】動力伝達装置の減速機構周りの拡大図である。
【図３】変形例に係る動力伝達装置の減速機構周りの拡大図である。
【発明を実施するための形態】
【００１１】
以下、本発明の実施形態を説明する。
図１は、本実施形態にかかる動力伝達装置１を説明する図である。
図２は、動力伝達装置１の減速機構３（第１遊星減速ギア４、第２遊星減速ギア５）周りの拡大図である。
【００１２】
動力伝達装置１は、モータ２と、モータ２の出力回転を減速して差動装置６に入力する減速機構３（第１遊星減速ギア４、第２遊星減速ギア５）と、ドライブシャフト８（８Ａ、８Ｂ）と、を有している。
【００１３】
動力伝達装置１では、モータ２の出力回転の伝達経路に沿って、減速機構３（第１遊星減速ギア４、第２遊星減速ギア５）と、差動装置６と、ドライブシャフト８（８Ａ、８Ｂ）と、が設けられている。
モータ２の出力回転は、減速機構３で減速されて差動装置６に入力された後、ドライブシャフト８（８Ａ、８Ｂ）を介して、動力伝達装置１が搭載された車両の左右の駆動輪（図示せず）に伝達される。図１では、ドライブシャフト８Ａが、動力伝達装置１を搭載した車両の左輪に回転伝達可能に接続されていると共に、ドライブシャフト８Ｂが、右輪に回転伝達可能に接続されている。
【００１４】
ここで、第１遊星減速ギア４は、モータ２の下流に接続されており、第２遊星減速ギア５は、第１遊星減速ギア４の下流に接続されている。差動装置６は、第２遊星減速ギア５の下流に接続されており、ドライブシャフト８（８Ａ、８Ｂ）は、差動装置６の下流に接続されている。
【００１５】
モータ２は、円筒状のモータシャフト２０と、モータシャフト２０に外挿された円筒状のロータコア２１と、ロータコア２１の外周を所定間隔で囲むステータコア２５とを、有している。
【００１６】
モータシャフト２０は、ドライブシャフト８Ｂに外挿された状態で、ドライブシャフト８Ｂに対して相対回転可能に設けられている。
モータシャフト２０では、長手方向の一端２０ａ側と他端２０ｂ側の外周に、ベアリングＢ１、Ｂ１が外挿されて固定されている。
モータシャフト２０の一端２０ａ側は、ベアリングＢ１を介して、中間ケース１２の円筒状のモータ支持部１２１で回転可能に支持されている。
モータシャフト２０の他端２０ｂ側は、ベアリングＢ１を介して、カバー１１の円筒状のモータ支持部１１１で回転可能に支持されている。
【００１７】
モータ２は、ロータコア２１の外周を所定間隔で囲むモータハウジング１０を有している。本実施形態では、モータハウジング１０の一端１０ａに、中間ケース１２が接合されており、モータハウジング１０の他端１０ｂに、カバー１１が接合されている。
【００１８】
モータハウジング１０の一端１０ａと他端１０ｂには、シールリングＳ、Ｓが設けられている。モータハウジング１０の一端１０ａは、当該一端１０ａに設けたシールリングＳにより、中間ケース１２の環状の基部１２０に隙間なく接合されている。
モータハウジング１０の他端１０ｂは、当該他端１０ｂに設けたシールリングＳにより、カバー１１の環状の接合部１１０に隙間なく接合されている。
【００１９】
中間ケース１２では、基部１２０とモータ支持部１２１とが、回転軸Ｘ方向で位置をずらして設けられている。
本実施形態では、中間ケース１２をモータハウジング１０の一端１０ａに固定すると、モータ支持部１２１が、モータハウジング１０の内側に挿入されるようになっている。
【００２０】
この状態においてモータ支持部１２１は、後記するコイルエンド２５３ａの内径側で、ロータコア２１の一端部２１ａに、回転軸Ｘ方向の隙間をあけて対向して配置される（図２参照）。
そして、図２に示すように、基部１２０とモータ支持部１２１とを接続する接続部１２３は、コイルエンド２５３ａと後記する側板部４５２との接触を避けて設けられている。
【００２１】
なお、モータ支持部１２１のロータコア２１側の端面１２１ａには、ベアリングリテーナ１２５が固定されている。
ベアリングリテーナ１２５は、回転軸Ｘ方向から見てリング状を成している。ベアリングリテーナ１２５の内径側は、モータ支持部１２１で支持されたベアリングＢ１のアウタレースＢ１ｂの側面に回転軸Ｘ方向から当接している。ベアリングリテーナ１２５は、モータ支持部１２１からのベアリングＢ１の脱落を阻止している。
【００２２】
図１に示すように、カバー１１では、接合部１１０とモータ支持部１１１とが、回転軸Ｘ方向で位置をずらして設けられている。
本実施形態では、カバー１１の接合部１１０をモータハウジング１０の他端１０ｂに固定すると、モータ支持部１１１が、モータハウジング１０の内側に挿入されるようになっている。
【００２３】
この状態においてモータ支持部１１１は、後記するコイルエンド２５３ｂの内径側で、ロータコア２１の他端部２１ｂに、回転軸Ｘ方向の隙間をあけて対向して配置される。
そして、接合部１１０と、カバー１１の側壁部１１３とを接続する接続部１１５は、コイルエンド２５３ｂと後記する支持筒１１２との接触を避けて設けられている。
【００２４】
モータハウジング１０の内側では、カバー１１側のモータ支持部１１１と、中間ケース１２側のモータ支持部１２１との間に、ロータコア２１が配置されている。
【００２５】
ロータコア２１は、複数の珪素鋼板を積層して形成したものであり、珪素鋼板の各々は、モータシャフト２０との相対回転が規制された状態で、モータシャフト２０に外挿されている。
モータシャフト２０の回転軸Ｘ方向から見て、珪素鋼板はリング状を成しており、珪素鋼板の外周側では、図示しないＮ極とＳ極の磁石が、回転軸Ｘ周りの周方向に交互に設けられている。
【００２６】
回転軸Ｘ方向におけるロータコア２１の一端部２１ａは、モータシャフト２０の大径部２０３で位置決めされている。ロータコア２１の他端部２１ｂは、モータシャフト２０に圧入されたストッパ２３で位置決めされている。
【００２７】
ステータコア２５は、複数の電磁鋼板を積層して形成したものであり、電磁鋼板の各々は、モータハウジング１０の内周に固定されたリング状のヨーク部２５１と、ヨーク部２５１の内周からロータコア２１側に突出するティース部２５２を、有している。
本実施形態では、巻線２５３を、複数のティース部２５２に跨がって分布巻きした構成のステータコア２５を採用しており、ステータコア２５は、回転軸Ｘ方向に突出するコイルエンド２５３ａ、２５３ｂの分だけ、ロータコア２１よりも回転軸方向の長さが長くなっている。
【００２８】
なお、ロータコア２１側に突出する複数のティース部２５２の各々に、巻線を集中巻きした構成のステータコアを採用しても良い。
【００２９】
モータシャフト２０では、大径部２０３よりも一端２０ａ側の領域の外周に、ベアリングＢ１が圧入されている。
図２に示すように、ベアリングＢ１のインナレースＢ１ａは、回転軸Ｘ方向の一方の側面が、モータシャフト２０の外周に設けた段部２０４に当接している。インナレースＢ１ａは、他方の側面に、モータシャフト２０の外周に圧入されたリング状のストッパ２０５が当接している。
ストッパ２０５によりベアリングＢ１は、インナレースＢ１ａを、段部２０４に当接させた位置で位置決めされている。
【００３０】
モータシャフト２０の一端２０ａは、ストッパ２０５よりも差動装置６側（図中、左側）に位置している。回転軸Ｘ方向において一端２０ａは、第１遊星減速ギア４のサンギア４１の側面４１ａに、間隔をあけて対向している。
【００３１】
モータシャフト２０の一端２０ａ側では、モータシャフト２０の径方向外側に、円筒壁１２２が位置している。
円筒壁１２２は、モータ支持部１２１から差動装置６側に突出しており、円筒壁１２２の先端１２２ａは、第１遊星減速ギア４のサンギア４１の側面４１ａに間隔をあけて対向している。
【００３２】
円筒壁１２２は、モータシャフト２０の外周を所定間隔で囲んでおり、円筒壁１２２とモータシャフト２０との間には、リップシールＲＳが設置されている。
リップシールＲＳは、モータハウジング１０の内径側の空間Ｓａ（図１参照）と、中間ケース１２の内径側の空間Ｓｂ（図１参照）とを、区画するために設けられている。
【００３３】
中間ケース１２の内径側の空間Ｓｂは、後記する差動装置６を収容するケース１３内の空間Ｓｃと連絡している。空間Ｓｂには、差動装置６の潤滑油が封入されている。リップシールＲＳは、モータハウジング１０の内径側の空間Ｓａへの潤滑油の流入を阻止するために設けられている。
【００３４】
本実施形態では、モータハウジング１０と、カバー１１と、中間ケース１２と、ケース１３と、後記する中間カバー１４とで、動力伝達装置１の本体ケース９を構成している。
本体ケース９の内部空間は、中間ケース１２を境にして、モータハウジング１０側の空間Ｓａが、モータ２を収容するモータ室となっている。そして、ケース１３側の空間Ｓｂ、Ｓｃが、減速機構３（第１遊星減速ギア４、第２遊星減速ギア５）を収容するギア室となっている。
そして、ギア室は、後記する中間カバー１４により、第１遊星減速ギア４を収容する空間Ｓｂと、第２遊星減速ギア５およびデフケース６０を収容する空間Ｓｃとに、区画されている。
【００３５】
図２に示すように、モータシャフト２０の一端２０ａ側の領域２０２は、ロータコア２１が外挿された領域２０１よりも大きい内径で形成されている。
この一端２０ａ側の領域２０２の内側には、サンギア４１の円筒状の連結部４１１が挿入されている。この状態において、モータシャフト２０の一端２０ａ側の領域２０２と、サンギア４１の連結部４１１とが、相対回転不能にスプライン嵌合している。
【００３６】
そのため、モータ２の出力回転が、モータシャフト２０を介して、第１遊星減速ギア４のサンギア４１に入力されて、サンギア４１がモータ２の回転駆動力で、回転軸Ｘ回りに回転する。
【００３７】
サンギア４１は、内径側の側面４１ａから回転軸Ｘ方向に延びる連結部４１１を有している。連結部４１１は、サンギア４１と一体に形成されおり、サンギア４１の内径側と連結部４１１の内径側とに跨がって、貫通孔４１０が形成されている。
サンギア４１は、貫通孔４１０を貫通したドライブシャフト８Ｂの外周で回転可能に支持されている。
【００３８】
回転軸Ｘの径方向におけるサンギア４１の外径側には、中間ケース１２の基部１２０内周に固定されたリングギア４２が位置している。回転軸Ｘの径方向において、サンギア４１とリングギア４２の間では、ピニオン軸４４で回転可能に支持されたピニオンギア４３が、サンギア４１の外周と、リングギア４２の内周に噛合している。
【００３９】
ピニオンギア４３は、ニードルベアリングＮＢを介して、ピニオン軸４４の外周で回転可能に支持されている。ピニオン軸４４は、ピニオンギア４３を回転軸Ｘに沿う軸線Ｘ１方向に貫通している。ピニオン軸４４の長手方向の一端と他端は、キャリア４５の一対の側板部４５１、４５２で支持されている。
【００４０】
側板部４５１、４５２は、回転軸Ｘ方向に間隔をあけて互いに平行に設けられている。
側板部４５１、４５２の間では、複数のピニオンギア４３が回転軸Ｘ周りの周方向に所定間隔で複数（例えば、４つ）設けられている。
【００４１】
差動装置６側に位置する側板部４５１には、円筒状の連結部４５３が設けられている。
側板部４５１において連結部４５３は、回転軸Ｘに対して同心に配置されていると共に、回転軸Ｘに沿って、差動装置６に近づく方向（図中、左方向）に突出している。
【００４２】
中間ケース１２から見て差動装置６側には、リング状の中間カバー１４が位置している。中間カバー１４は、外径側の環状基部１４１が、中間ケース１２とケース１３との間に挟み込まれた状態で設けられている。
本実施形態では、中間カバー１４は、回転軸Ｘ方向で並んだ第１遊星減速ギア４と第２遊星減速ギア５との間に位置している。
中間カバー１４は、環状基部１４１から内径側に延びる壁部１４２を有している。壁部１４２は、回転軸Ｘに直交する向きで設けられている。壁部１４２の内径側は、回転軸Ｘ方向で並んだ第１遊星減速ギア４と第２遊星減速ギア５との間に、回転軸Ｘの径方向から挿入されている。
壁部１４２の内径側には、壁部１４２を厚み方向（回転軸Ｘ方向）に貫通した開口１４０が設けられている。
開口１４０の外周は、第１遊星減速ギア４のピニオン軸４４の中心を通る軸線Ｘ１と交差する位置に設けられている。
【００４３】
第１遊星減速ギア４側の側板部４５１の内径側に設けられた連結部４５３は、中間カバー１４（壁部１４２）の中央の開口１４０を、モータ２側から差動装置６側の左方に貫通している。
連結部４５３の先端４５３ａは、中間カバー１４に取り付けられたケース１３内に位置している。回転軸Ｘ方向において連結部４５３の先端４５３ａは、第２遊星減速ギア５のサンギア５１の側面５１ａに、間隔をあけて対向している。
【００４４】
連結部４５３の内側には、サンギア５１から延びる円筒状の連結部５１１が挿入されてスプライン嵌合しており、第１遊星減速ギア４側の連結部４５３と、第２遊星減速ギア５側の連結部５１１とが、中間カバー１４の内径側で、相対回転不能に連結されている。
【００４５】
サンギア５１は、内径側の側面５１ａから回転軸Ｘ方向に延びる連結部５１１を有している。連結部５１１は、サンギア５１と一体に形成されおり、サンギア５１の内径側と連結部５１１の内径側とに跨がって、貫通孔５１０が形成されている。
サンギア５１は、貫通孔５１０を貫通したドライブシャフト８Ｂの外周で回転可能に支持されている。
【００４６】
サンギア５１の差動装置６側の側面５１ｂは、後記するデフケース６０の筒状の支持部６０１に、回転軸Ｘ方向の隙間をあけて対向しており、側面５１ｂと支持部６０１との間には、ニードルベアリングＮＢが介在している。
【００４７】
サンギア５１は、前記した第１遊星減速ギア４側の連結部５４２の延長上で、段付きピニオンギア５３の大径歯車部５３１に噛合している。
【００４８】
段付きピニオンギア５３は、サンギア５１に噛合する大径歯車部５３１と、大径歯車部５３１よりも小径の小径歯車部５３２とを有している。
段付きピニオンギア５３は、大径歯車部５３１と小径歯車部５３２が、回転軸Ｘに平行な軸線Ｘ２方向で並んで、一体に設けられたギア部品である。
【００４９】
段付きピニオンギア５３は、大径歯車部５３１と小径歯車部５３２の内径側を軸線Ｘ２方向に貫通した貫通孔５３０を有している。
段付きピニオンギア５３は、貫通孔５３０を貫通したピニオン軸５４の外周で、ニードルベアリングＮＢを介して回転可能に支持されている。
ピニオン軸５４の長手方向の一端と他端は、デフケース６０と一体に形成された側板部６５１と、この側板部６５１に間隔をあけて配置された側板部５５１で支持されている。
【００５０】
側板部６５１、５５１は、回転軸Ｘ方向に間隔をあけて互いに平行に設けられている。
側板部６５１、５５１の間では、複数の段付きピニオンギア５３が回転軸Ｘ周りの周方向に所定間隔で複数（例えば、３つ）設けられている。
【００５１】
小径歯車部５３２の各々は、リングギア５２の内周に噛合している。リングギア５２は、ケース１３の内周にスプライン嵌合しており、リングギア５２は、ケース１３との相対回転が規制されている。
【００５２】
側板部５５１の内径側には、第１遊星減速ギア４側に延びる筒状部５５２が設けられている。筒状部５５２は、中間カバー１４（壁部１４２）の中央の開口１４０を、差動装置６側からモータ２側（図中、右側）に貫通している。回転軸Ｘ方向において筒状部５５２の先端５５２ａは、第１遊星減速ギア４のキャリア４５の側板部４５１に、間隔をあけて対向している。
【００５３】
筒状部５５２は、第１遊星減速ギア４側の連結部４５３と、第２遊星減速ギア５側の連結部５１１との噛み合い部分の径方向外側に位置している。筒状部５５２の外周には、中間カバー１４（壁部１４２）の開口１４０に固定されたベアリングＢ２が接触している。側板部５５１の筒状部５５２は、ベアリングＢ２を介して、中間カバー１４で回転可能に支持されている。
【００５４】
第２遊星減速ギア５では、キャリア５５を構成する側板部５５１と側板部６５１のうちの一方の側板部６５１は、差動装置６のデフケース６０と一体に形成されている。
そのため、第２遊星減速ギア５のキャリア５５（側板部５５１、６５１、ピニオン軸５４）は、デフケース６０と実質的に一体に形成されている。
【００５５】
第２遊星減速ギア５では、第１遊星減速ギア４で減速されたモータ２の出力回転が、サンギア５１に入力される。
サンギア５１に入力された出力回転は、サンギア５１に噛合する大径歯車部５３１を介して、段付きピニオンギア５３に入力されて、段付きピニオンギア５３が軸線Ｘ２回りに回転する。
【００５６】
そうすると、大径歯車部５３１と一体に形成された小径歯車部５３２は、大径歯車部５３１と一体に軸線Ｘ２周りに回転する。
ここで、小径歯車部５３２は、ケース１３の内周に固定されたリングギア５２に噛合している。そのため、小径歯車部５３２が軸線Ｘ２回りに回転すると、段付きピニオンギア５３は、軸線Ｘ２回りに自転しながら、回転軸Ｘ回りに回転する。
【００５７】
そうすると、ピニオン軸５４の一端が、デフケース６０と一体に形成された側板部６５１に支持されているので、段付きピニオンギア５３の回転軸Ｘ周りの周方向の変位に連動して、デフケース６０が回転軸Ｘ回りに回転する。
【００５８】
ここで、段付きピニオンギア５３では、小径歯車部５３２の外径Ｒ１が大径歯車部５３１の外径Ｒ２よりも小さくなっている（図２参照）。
そして、第２遊星減速ギア５では、サンギア５１が、モータの出力回転の入力部となっており、段付きピニオンギア５３を支持するキャリア５５が、入力された回転の出力部となっている。
そうすると、第２遊星減速ギア５のサンギア５１に入力された回転は、段付きピニオンギア５３により大きく減速されたのちに、キャリア５５の側板部６５１が一体に形成されたデフケース６０に出力される。
【００５９】
図１に示すように、デフケース６０は、シャフト６１と、かさ歯車６２Ａ、６２Ｂと、サイドギア６３Ａ、６３Ｂとを、内部に収納する中空状に形成されている。
デフケース６０では、回転軸Ｘ方向（図中、左右方向）の両側部に、筒状の支持部６０１、６０２が設けられている。支持部６０１、６０２は、シャフト６１から離れる方向に、回転軸Ｘに沿って延出している。
【００６０】
図１に示すように、支持部６０１の外径側には、キャリア５５の側板部６５１と側板部５５１とを接続する接続片５６が設けられている。
接続片５６のデフケース６０側の一端は、側板部６５１とデフケース６０の外周とに跨がって設けられており、他端は、回転軸Ｘ方向から側板部５５１に接続されている。
【００６１】
接続片５６は、前記した段付きピニオンギア５３との干渉を避けた位置に設けられている。前記したように、段付きピニオンギア５３は、回転軸Ｘ周りの周方向に所定間隔で複数（例えば、３つ）設けられている。
接続片５６は、回転軸Ｘ回りの周方向で隣接する段付きピニオンギア５３の間に設けられている。
【００６２】
デフケース６０の支持部６０２の外周には、ベアリングＢ２のインナレースＢ２ａが圧入されている。ベアリングＢ２のアウタレースＢ２ｂは、ケース１３のリング状の支持部１３１で保持されており、デフケース６０の支持部６０２は、ベアリングＢ２を介して、ケース１３で回転可能に支持されている。
【００６３】
支持部６０２には、ケース１３の開口部１３０を貫通したドライブシャフト８Ａが、回転軸Ｘ方向から挿入されており、ドライブシャフト８Ａは、支持部６０２で回転可能に支持されている。
開口部１３０の内周には、リップシールＲＳが固定されており、リップシールＲＳの図示しないリップ部が、ドライブシャフト８Ａの外周に弾発的に接触することで、ドライブシャフト８Ａの外周と開口部１３０の内周との隙間が封止されている。
【００６４】
支持部６０１には、カバー１１の開口部１１４を貫通したドライブシャフト８Ｂが、回転軸方向から挿入されている。
ドライブシャフト８Ｂは、モータ２のモータシャフト２０と、第１遊星減速ギア４のサンギア４１と、第２遊星減速ギア５のサンギア４１の内径側を回転軸Ｘ方向に横切って設けられており、ドライブシャフト８Ｂの先端側が、支持部６０１で回転可能に支持されている。
【００６５】
カバー１１の開口部１１４の内周には、リップシールＲＳが固定されており、リップシールＲＳの図示しないリップ部が、ドライブシャフト８Ｂの外周に弾発的に接触することで、ドライブシャフト８Ｂの外周と開口部１１４の内周との隙間が封止されている。
【００６６】
デフケース６０の内部では、ドライブシャフト８Ａ、８Ｂの先端部の外周に、サイドギア６３Ａ、６３Ｂがスプライン嵌合しており、サイドギア６３Ａ、６３Ｂとドライブシャフト８（８Ａ、８Ｂ）とが、回転軸Ｘ周りに一体回転可能に連結されている。
【００６７】
デフケース６０には、回転軸Ｘに直交する方向に貫通した軸孔６０ａ、６０ｂが、回転軸Ｘを挟んで対称となる位置に設けられている。
軸孔６０ａ、６０ｂは、回転軸Ｘに直交する軸線Ｙ上に位置しており、シャフト６１の一端６１ａ側および他端６１ｂ側が挿入されている。
【００６８】
シャフト６１の一端６１ａ側および他端６１ｂ側は、ピンＰでデフケース６０に固定されており、シャフト６１は、軸線Ｙ周りの自転が禁止されている。
デフケース６０の下部側は、ケース１３内の潤滑油に浸っている。
実施の形態では、シャフト６１の一端６１ａまたは他端６１ｂが最も下部側に位置した際に、シャフト６１の一端６１ａまたは他端６１ｂが少なくとも潤滑油内に位置する高さまで、ケース１３内に潤滑油が貯留されている。
【００６９】
シャフト６１は、デフケース６０内において、サイドギア６３Ａ、６３Ｂの間に位置しており、軸線Ｙに沿って配置されている。
【００７０】
デフケース６０内においてシャフト６１には、かさ歯車６２Ａ、６２Ｂが外挿して回転可能に支持されている。
かさ歯車６２Ａ、６２Ｂは、シャフト６１の長手方向（軸線Ｙの軸方向）で間隔を空けて２つ設けられており、かさ歯車６２Ａ、６２Ｂは、互いの歯部を対向させた状態で配置されている。シャフト６１においてかさ歯車６２Ａ、６２Ｂは、当該かさ歯車６２Ａ、６２Ｂの軸心を、シャフト６１の軸心と一致させて設けられている。
【００７１】
デフケース６０内において、回転軸Ｘの軸方向におけるかさ歯車６２Ａ、６２Ｂの両側には、サイドギア６３Ａ、６３Ｂが位置している。
サイドギア６３Ａ、６３Ｂは、互いの歯部を対向させた状態で、回転軸Ｘの軸方向に間隔を空けて２つ設けられており、かさ歯車６２Ａ、６２Ｂとサイドギア６３Ａ、６３Ｂとは、互いの歯部を噛合させた状態で組み付けられている。
【００７２】
前記したように、動力伝達装置１では、デフケース６０が、減速機構３（第１遊星減速ギア４、第２遊星減速ギア５）を介して入力される回転で回転軸Ｘ回りに回転する。
ここで、デフケース６０は、回転軸Ｘ方向の両側に設けられた支持部６０１、６０２のうちの一方の支持部６０２のみが、ベアリングＢ２を介してケース１３で支持されている。
【００７３】
図１に示すように、動力伝達装置１では、他方の支持部６０１の外径側に、第２遊星減速ギア５（段付きピニオンギア５３の小径歯車部５３２）が位置している。そのため、支持部６０２の外径側に、デフケース６０を支持するための部材を設けることができない仕様になっている。
そのため、デフケース６０の支持部６０１側は、支持部６０１を貫通したドライブシャフト８Ｂが、ベアリングＢ１を介してカバー１１で支持されていることにより、間接的にカバー１１で支持される仕様となっている。
【００７４】
前記したように、本実施形態では、支持部６０１の外径側に位置する第２遊星減速ギア５のキャリア５５が、デフケース６０と一体に形成されている。
そのため、キャリア５５とデフケース６０とが、所定の剛性と強度を持って一体的に設けられている。
【００７５】
さらに、第１遊星減速ギア４と第２遊星減速ギア５との間に、内径側（回転軸Ｘ側）に延びる中間カバー１４を設けると共に、キャリア５５を構成する一対の側板部５５１、６５１のうちの他方の側板部５５１の内径側に、中間カバー１４（壁部１４２）の開口１４０を回転軸Ｘ方向に横切る筒状部５５２を設けている。
【００７６】
そして、筒状部５５２の外周には、中間カバー１４（壁部１４２）の開口１４０の内周に固定されたベアリングＢ３が接触しており、キャリア５５の側板部５５１から延びる筒状部５５２は、ベアリングＢ３を介して、中間カバー１４で回転可能に支持されている。
本実施形態では、キャリア５５は、デフケース６０と実質的に一体に形成されている。そのため、キャリア５５の筒状部５５２は、デフケース６０の一部と捉えることができる。
よって、デフケース６０の一部である筒状部５５２は、第１遊星減速ギア４と第２遊星減速ギア５との間で、ベアリングＢ３を介して、固定側部材である中間カバー１４の壁部１４２の内周で支持されている。
【００７７】
このように、デフケース６０の支持部６０１側（図１における右側）は、デフケース６０と一体的に設けられたキャリア５５の筒状部５５２が、ベアリングＢ３を介して中間カバー１４の壁部１４２で支持されている。これにより、デフケース６０が、当該デフケース６０と一体に形成されたキャリア５５を介して、間接的に中間カバー１４で支持される仕様になっている。
【００７８】
ここで、中間カバー１４による支持位置は、カバー１１による支持位置よりも、デフケース６０に近い。そのため、中間カバー１４を設けて、デフケース６０を中間カバー１４で間接的に支持させることにより、回転軸Ｘ回りに回転するデフケース６０の支持安定性が、カバー１１のみで間接的に支持する場合よりも高められている。
【００７９】
かかる構成の動力伝達装置１の作用を説明する。
動力伝達装置１では、モータ２の出力回転の伝達経路に沿って、減速機構３（第１遊星減速ギア４、第２遊星減速ギア５）と、差動装置６と、ドライブシャフト８（８Ａ、８Ｂ）と、が設けられている。
【００８０】
モータ２の駆動により、ロータコア２１が回転軸Ｘ回りに回転すると、ロータコア２１と一体に回転するモータシャフト２０を介して、第１遊星減速ギア４のサンギア４１に回転が入力される。
【００８１】
第１遊星減速ギア４では、サンギア４１が、モータ２の出力回転の入力部、ピニオンギア４３を支持するキャリア４５が、入力された回転の出力部となっている。
【００８２】
サンギア４１がモータ２の出力回転で回転軸Ｘ回りに回転すると、サンギア４１の外周とリングギア４２の内周に噛合したピニオンギア４３が、軸線Ｘ１回りに回転する。
ここで、リングギア４２は、中間ケース１２（固定側部材）の内周にスプライン嵌合しており、中間ケース１２との相対回転が規制されている。
そのため、ピニオンギア４３は、軸線Ｘ１回りに回転しながら、回転軸Ｘ回りに公転する。これにより、ピニオンギア４３を支持するキャリア４５（側板部４５１、４５２）が、モータ２の出力回転よりも低い回転速度で回転軸Ｘ回りに回転する。
【００８３】
前記したようにキャリア４５の連結部４５３は、第２遊星減速ギア５側のサンギア５１の連結部５１１に連結されており、キャリア４５の回転（第１遊星減速ギア４の出力回転）は、第２遊星減速ギア５のサンギア５１に入力される。
【００８４】
第２遊星減速ギア５では、サンギア５１が、第２遊星減速ギア５の出力回転の入力部となっており、段付きピニオンギア５３を支持するキャリア５５が、入力された回転の出力部となっている。
【００８５】
サンギア５１が入力された回転で回転軸Ｘ回りに回転すると、段付きピニオンギア５３（大径歯車部５３１、小径歯車部５３２）が、サンギア５１側から入力される回転で、軸線Ｘ２回りに回転する。
ここで、段付きピニオンギア５３の小径歯車部５３２は、ケース１３の内周に固定されたリングギア５２に噛合している。そのため、段付きピニオンギア５３は、軸線Ｘ２回りに自転しながら、回転軸Ｘ回りに回転する。
【００８６】
これにより、段付きピニオンギア５３を支持するキャリア５５（側板部５５１、６５１）が、第１遊星減速ギア４側から入力された回転よりも低い回転速度で回転軸Ｘ回りに回転する。
ここで、段付きピニオンギア５３では、小径歯車部５３２の外径Ｒ１が大径歯車部５３１の外径Ｒ２よりも小さくなっている（図２参照）。
そのため、第２遊星減速ギア５のサンギア５１に入力された回転は、段付きピニオンギア５３により、第１遊星減速ギア４の場合よりも大きく減速されたのちに、キャリア５５の側板部６５１が一体に形成されたデフケース６０（差動装置６）に出力される。
【００８７】
そして、デフケース６０が入力された回転で回転軸Ｘ回りに回転することにより、ドライブシャフト８（８Ａ、８Ｂ）が回転軸Ｘ回りに回転して、動力伝達装置１が搭載された車両の左右の駆動輪（図示せず）に伝達される。
【００８８】
デフケース６０は、回転軸Ｘ方向の両側に設けられた支持部６０１、６０２のうちの一方の支持部６０２がベアリングＢ２を介してケース１３で支持されている。
他方の支持部６０１は、固定側部材で支持されていないものの、デフケース６０と一体的に設けられたキャリア５５の筒状部５５２が、ベアリングＢ３を介して中間カバー１４で支持されており、デフケース６０は、ベアリングＢ３を介して、中間カバー１４で間接的に支持されている。
【００８９】
これらベアリングＢ２、Ｂ３による支持位置は、第２遊星減速ギア５からデフケース６０の回転が入力される位置（側板部６５１とピニオン軸５４との係合位置）を挟んだ両側に位置している。
よって、入力される回転で回転軸Ｘ回りに回転するデフケース６０の支持安定性が高められており、差動装置６（デファレンシャルギア）の安定性が高められている。
【００９０】
このように、モータ２の出力回転の伝達経路上で、減速機構３を構成する第１遊星減速ギア４と第２遊星減速ギア５とを直列に配置し、一方の第２遊星減速ギア５のピニオンギアを、段付きピニオンギア５３とした。
これにより、１軸タイプの動力伝達装置において、通常のピニオンギア（段無しのピニオンギア）を持つ遊星減速ギアを単純に直列に配置する場合よりも、減速機構３における減速比を大きくすることができる。
【００９１】
さらに、第１遊星減速ギア４と第２遊星減速ギア５との間に中間カバー１４を設けて、デフケース６０と一体的に設けられたキャリア５５の筒状部５５２を、ベアリングＢ３を介して中間カバー１４に支持させる構成とした。
【００９２】
これにより、デフケース６０の回転軸Ｘ方向の一方側（支持部６０２）が、ケース１３で支持されると共に、他方側（支持部６０１側）が、中間カバー１４で間接的に支持されるので、回転軸Ｘ回りに回転するデフケース６０の支持安定性が高められる。
デフケース６０の支持安定性が高められることで、差動装置６（デファレンシャルギア）の安定性もまた、高められる。
【００９３】
以上の通り、本実施形態にかかる動力伝達装置１は、以下の構成を有している。
（１）動力伝達装置１は、
モータ２と、
モータ２の下流に接続された第１遊星減速ギア４と、
第１遊星減速ギア４の下流に接続された第２遊星減速ギア５と、
第２遊星減速ギア５の下流に接続された差動装置６（デファレンシャルギア）と、
デファレンシャルギアの下流に接続されたドライブシャフト８（８Ａ、８Ｂ）と、を有する。
ドライブシャフト８Ｂは、モータ２のロータコア２１の内径側（ロータの内周）と、第１遊星減速ギア４のサンギア４１の内径側（内周）と、第２遊星減速ギア５のサンギア５１の内径側（内周）と、を貫通して配置されている。
差動装置６は、デフケース６０（デファレンシャルケース）を有している。
デフケース６０の一部であって、回転軸Ｘ方向で並んだ第１遊星減速ギア４と第２遊星減速ギア５との間に位置する筒状部５５２が、ベアリングＢ３（軸受）を介して、中間カバー１４（ケース部材）の内周側で支持されている。
【００９４】
このように構成すると、モータ２の出力回転の伝達経路上に、第１遊星減速ギア４と第２遊星減速ギア５を直列に配置して、遊星減速ギアを２段とすることにより、減速比を大きくすることができる。
ここで、２段の遊星減速ギア（第１遊星減速ギア４、第２遊星減速ギア５）を有する動力伝達装置１において、回転軸Ｘ方向のダウンサイジングのみを追求するのであれば、第１遊星減速ギア４と第２遊星減速ギア５との、回転軸Ｘ方向のクリアランスを詰めることが好ましい。
かかる場合、第２遊星減速ギア５の下流に配置されたデフケース６０が浮いた状態となってしまい、デフケース６０の安定性が低下してしまう。
【００９５】
そこで、本発明では、差動装置６の安定性を優先すべく、デフケース６０の一部であって、２段の遊星減速ギア（第１遊星減速ギア４、第２遊星減速ギア５）の間に位置する筒状部５５２を、ベアリングＢ３を介して中間カバー１４で支持させた。
これにより、差動装置６（デフケース６０）が安定的に回転できるようにした。
【００９６】
本実施形態にかかる動力伝達装置１は、以下の構成を有している。
（２）第２遊星減速ギア５における差動装置６（デファレンシャルギア）と同一回転する要素（キャリア５５：筒状部５５２含む）と、デフケース６０（デファレンシャルケース）は、高剛性に一体化されている。
第２遊星減速ギア５におけるデフケース６０と一体化された要素（キャリア５５、筒状部５５２）は、第１遊星減速ギア４側に設けたベアリングＢ３を介して、固定側部材である中間カバー１４で支持されている。
【００９７】
このように構成すると、デフケース６０が回転軸Ｘ回りに回転する際の支持安定性が向上するので、差動装置６が安定的に回転できる。
【００９８】
本実施形態にかかる動力伝達装置１は、以下の構成を有している。
（３）第２遊星減速ギア５は、サンギア５１が入力要素であり、キャリア５５が出力要素であり、リングギア５２が固定要素である。
デフケース６０は、キャリア５５と一体的に形成されている。
キャリア５５の筒状部５５２が、ベアリングＢ３を介して、中間カバー１４で回転可能に支持されている。
【００９９】
デフケース６０をキャリア５５と一体的に形成すると、デフケース６０とキャリア５５の双方の剛性が高まる結果、デフケース６０の安定性が増す。
さらに、デフケース６０とキャリア５５を一体的に形成しているため、デフケース６０が中間カバー１４（壁部）に支持されていることは、キャリア５５が中間カバー１４（壁部）に支持されていることと同義であるので、キャリア５５も安定的に回転できるようになる。
【０１００】
本実施形態にかかる動力伝達装置１は、以下の構成を有している。
（４）第２遊星減速ギア５と反対側に位置するデフケース６０は、デフケース６０を収容するケース１３（ケース部材）にベアリングＢ２（軸受）を介して支持されている。
【０１０１】
このように構成すると、２つのベアリングＢ２、Ｂ３（第１軸受、第２軸受）を介して、デフケース６０を両側で支持する両持ち構造となり、両持ち構造することで、差動装置６の安定性が増加する。
【０１０２】
本実施形態にかかる動力伝達装置１は、以下の構成を有している。
（５）中間カバー１４（壁部）の内周に固定されたベアリングＢ３の内周側の位置において、第１遊星減速ギア４側の連結部４５３（出力要素）と、第２遊星減速ギア５側の連結部５１１（入力要素）とが、相対回転不能に係合している。
【０１０３】
第１遊星減速ギア４側の連結部４５３（出力要素）と、第２遊星減速ギア５側の連結部５１１（入力要素）を係合（スプライン係合等）する場合、係合するためのスペースが必要になる。
中間カバー１４の内周側のスペースを、出力要素と入力要素とが係合するためのスペースとして利用することにより、動力伝達装置１のダウンサイジングが可能となる。
言い換えると、回転軸Ｘの径方向において（径方向から見て）、中間カバー１４と、ベアリングＢ３（軸受）と、デフケース６０と、第１遊星減速ギア４の連結部４５３（出力要素）と、第２遊星減速ギア５の連結部５１１（入力要素）とがオーバーラップしている。
【０１０４】
本実施形態にかかる動力伝達装置１は、以下の構成を有している。
（６）本体ケース９（ケース部材）は、第１遊星減速ギア４と第２遊星減速ギアとの間に壁部１４２を有する。
ベアリングＢ３（軸受）は、壁部１４２の内周に配置されている。
デフケース６０の一部である筒状部５５２が、ベアリングＢ３（軸受）を介して、中間カバー１４の壁部１４２の内周で支持されている
【０１０５】
このように構成すると、デフケース６０の支持の安定性を重視すべく、第１遊星減速ギア４と第２遊星減速ギア５との間に壁部１４２をあえて配置して、デフケース６０の一部である筒状部５５２が、壁部１４２の開口１４０の内周にベアリングＢ３を介して支持される。これにより、筒状部５５２を支持するベアリングＢ３の外径が大きくなることを防ぎつつ、デフケース６０を安定的に支持できる。
【０１０６】
第１遊星減速ギア４のピニオンギア４３（ピニオン）は段無しピニオンギアであり、且つ、第２遊星減速ギア５のピニオンギア５３は段付きピニオンである。
【０１０７】
１軸タイプの動力伝達装置１において、モータ２の出力回転の減速比を大きくするために、モータ２の出力回転の伝達経路上に、遊星減速ギア（遊星歯車機構）を追加することが考えられる。
ここで、遊星減速ギアのピニオンギアには、減速比を大きくしやすい段付きタイプと、サイズを小さくしやすい段無しタイプとがある。
減速比の大きさだけを追求するのであれば、全ての遊星減速ギアのピニオンを段付きタイプとすれば良いが、その場合は、動力伝達装置１が径方向に大きくなる。すなわち、サイズアップという課題が残ることになる。
【０１０８】
ここで、モータ２の下流側であって第２遊星減速ギア５の上流側に位置する第１遊星減速ギア４は、モータ２と第２遊星減速ギア５とに挟まれた位置に設けられており、第１遊星減速ギア４の周辺にスペースを取ることが難しい。
また、第２遊星減速ギア５の下流側であって差動装置６の上流側に位置する第２遊星減速ギア５は、第１遊星減速ギア４と差動装置６のデフケース６０との間に設けられており、第１遊星減速ギア４に比べて周辺にスペースを取り易い。
【０１０９】
そこで、周辺にスペースを取り難い第１遊星減速ギア４に、段無しピニオンを適用する一方で、周辺にスペースを比較的取りやすい第２遊星減速ギア５に、段無しピニオンを適用することで、１軸タイプの動力伝達装置において、サイズアップを抑制しつつ減速比を大きくすることができる。
【０１１０】
また、回転軸Ｘの径方向から見て、デフケース６０と段付きピニオンギア５３とが重なるようにしたうえで、ベアリングＢ２、Ｂ３を用いて、デフケース６０を固定側部材（ケース１３、中間カバー１４）で直接／間接的に支持させる構成とした。
これにより、動力伝達装置１の回転軸Ｘ方向の長さを抑えつつ、差動装置６（デフケース６０）を安定して支持できる。
【０１１１】
図３の（ａ）は、変形例に係る動力伝達装置１Ａの減速機構３周りの拡大図である。図３の（ｂ）は、第２遊星減速ギア５の側板部５５１Ａ周りの拡大図である。
【０１１２】
変形例にかかる動力伝達装置１Ａは、前記した中間カバー１４を有していないという点において、前記した動力伝達装置１と相違する。
動力伝達装置１Ａでは、キャリア５５の側板部５５１Ａは、中間ケース１２の内周にベアリングＢ３を介して支持されている。
【０１１３】
回転軸Ｘ方向から見て側板部５５１ＡＡは、リング状を成す板状部材である。側板部５５１ＡＡは、回転軸Ｘに直交する向きで設けられている。
側板部５５１Ａの内径側は、第１遊星減速ギア４側の側板部４５１に沿って、回転軸Ｘ側に延びている。側板部５５１Ａの内径側の端部５５１ａは、第１遊星減速ギア４側の連結部４５３の外周に、径方向の隙間をあけて対向している。
【０１１４】
変形例にかかる動力伝達装置１Ａでは、側板部５５１Ａの内径側で、第１遊星減速ギア４側の連結部４５３と、第２遊星減速ギア５側の連結部５１１とがスプライン嵌合している。
【０１１５】
側板部５５１Ａの外径側は、第１遊星減速ギア４のリングギア４２よりも外径側であって、第２遊星減速ギア５の大径歯車部５３１の外周５３１ａの近傍まで及んでいる。
側板部５５１Ａの外径側には、第１遊星減速ギア４側に延びる筒状部５５３が設けられている。
【０１１６】
筒状部５５３は、中間ケース１２の外径側の基部１２０に設けた凹部１２４に、回転軸Ｘ方向から挿入されている。凹部１２４内において、筒状部５５３は、基部１２０との接触を避けて設けられている。
【０１１７】
基部１２０において凹部１２４は、第１遊星減速ギア４のリングギア４２がスプライン嵌合した領域の外径側で、第２遊星減速ギア５側（図３における左側）に開口している。
凹部１２４は、リングギア４２の外径側まで及ぶ回転軸Ｘ方向の深さＤｘで形成されている。回転軸Ｘ方向の第２遊星減速ギア５側から見ると、凹部１２４はリング状を成している。
【０１１８】
凹部１２４の外径側には、ベアリングＢ３を位置決めする段部１２７が設けられている。
ベアリングＢ３は、第２遊星減速ギア５側から凹部１２４内に挿入されて、アウタレースＢ３ｂを段部１２７当接させた位置で位置決めされる。
この状態においてベアリングＢ３は、第２遊星減速ギア５側の大径歯車部５３１との間に、隙間をあけて設けられている。
さらに、ベアリングＢ３のインナレースＢ３ａは、基部１２０との間に回転軸Ｘ方向の隙間をあけて設けられており、インナレースＢ３ａは、第２遊星減速ギア５の筒状部５５３の外周を支持している。
【０１１９】
そのため、第２遊星減速ギア５の側板部５５１Ａの筒状部５５３は、ベアリングＢ３を介して、固定側部材である中間ケース１２で回転可能に支持されている。
筒状部５５３を有するキャリア５５は、実質的にデフケース６０と一体に形成されている。筒状部５５３は、デフケース６０の一部と捉えることができる。
デフケース６０の一部である筒状部５５３は、回転軸Ｘ方向で並んだ第１遊星減速ギア４と第２遊星減速ギア５との間で、ベアリングＢ３を介して中間ケース１２で支持される。
これにより、デフケース６０の回転軸Ｘ方向の支持部６０１側が、中間ケース１２で間接的に支持される。
よって、デフケース６０が回転軸Ｘ回りに回転する際のデフケース６０の支持安定性が高められる。そして、デフケース６０の支持安定性が高められることで、差動装置６（デファレンシャルギア）の安定性もまた、高められる。
【０１２０】
変形例にかかる動力伝達装置１Ａは、前記した動力伝達装置１の中間カバー１４を備えていない。
そのため、第１遊星減速ギア４側の連結部４５３と、第２遊星減速ギア５側の連結部５１１とがスプライン嵌合している領域の回転軸Ｘ方向の長さＬ１が、動力伝達装置１の連結部４５３と連結部５１１とがスプライン嵌合した領域の長さＬ２よりも短くなる。
【０１２１】
さらに、第２遊星減速ギア５側の筒状部５５３と、筒状部５５３を支持するベアリングＢ３が、第１遊星減速ギア４の外径側に位置している。
【０１２２】
そのため、第２遊星減速ギア５の一部（筒状部５５３）と、第１遊星減速ギア４とが、回転軸Ｘ方向でオーバーラップしている。すなわち、回転軸Ｘの径方向外側から見ると、筒状部５５３が、第１遊星減速ギア４と重なるような位置関係で設けられている。
これにより、第１遊星減速ギア４と第２遊星減速ギア５とが、前記した動力伝達装置１の場合よりも近づけて配置される。よって、動力伝達装置１Ａの回転軸Ｘ方向の大きさを抑えることができる。
【０１２３】
以上の通り、変形例にかかる動力伝達装置１Ａは、以下の構成を有している。
（７）動力伝達装置１Ａは、
モータ２と、
モータ２の下流に接続された第１遊星減速ギア４と、
第１遊星減速ギア４の下流に接続された第２遊星減速ギア５と、
第２遊星減速ギア５の下流に接続された差動装置６（デファレンシャルギア）と、
デファレンシャルギアの下流に接続されたドライブシャフト８（８Ａ、８Ｂ）と、を有する。
ドライブシャフト８Ｂは、モータ２のロータコア２１の内径側（ロータの内周）と、第１遊星減速ギア４のサンギア４１の内径側（内周）と、第２遊星減速ギア５のサンギア５１の内径側（内周）と、を貫通して配置されている。
差動装置６は、デフケース６０（デファレンシャルケース）を有している。
デフケース６０の一部であって、回転軸Ｘ方向で並んだ第１遊星減速ギア４と第２遊星減速ギア５との間に位置するキャリア５５の筒状部５５３が、ベアリングＢ３（軸受）を介して、中間ケース１２（ケース部材）の内周側で支持されている。
【０１２４】
このように構成すると、キャリア５５の筒状部５５３が、ベアリングＢ３を介して中間ケース１２で支持されることにより、デフケース６０の回転軸Ｘ方向の支持部６０１側が、中間ケース１２で間接的に支持される。
これにより、デフケース６０が回転軸Ｘ回りに回転する際のデフケース６０の支持安定性が高められる。そして、デフケース６０の支持安定性が高められることで、差動装置６（デファレンシャルギア）の安定性もまた、高められる。
【０１２５】
変形例にかかる動力伝達装置１Ａは、以下の構成を有している。
（８）キャリア５５の筒状部５５３は、第１遊星減速ギア４と第２遊星減速ギア５の間に位置するデフケース６０の一部である。キャリア５５の筒状部５５３が、ベアリングＢ３（軸受）を介して、中間ケース１２（ケース部材）の内周側で支持されている。
【０１２６】
このように構成すると、前記した動力伝達装置１において、第１遊星減速ギア４と第２遊星減速ギア５の間に配置していた壁部１４２を必要とせずに、デフケース６０の一部である筒状部５５３を、固定側部材である中間ケース１２の内周で支持できる。
【０１２７】
これにより、壁部１４２を持つ中間カバー１４を省略できるので、中間カバー１４を省略した分だけ、動力伝達装置１Ａの回転軸Ｘ方向の長さを、前記した動力伝達装置１よりも短くできる。
【０１２８】
変形例にかかる動力伝達装置１Ａは、以下の構成を有している。
（９）ベアリングＢ３（軸受）は、径方向において第１遊星減速ギア４とオーバーラップする。
【０１２９】
動力伝達装置１Ａを回転軸Ｘの径方向から見ると、ベアリングＢ３の回転軸側（内径側）に第１遊星減速ギア４の一部が隠れるように配置される。
すなわち、回転軸Ｘ方向において、ベアリングＢ３と第１遊星減速ギア４とが重なる範囲を持って設けられているので、重なる範囲の分だけ、動力伝達装置１Ａの回転軸Ｘ方向の長さを短くできる。
【０１３０】
変形例にかかる動力伝達装置１Ａは、以下の構成を有している。
（１０）ベアリングＢ３（軸受）は、回転軸Ｘ方向（軸方向）において第２遊星減速ギア５とオーバーラップする。
【０１３１】
このように構成すると、ベアリングＢ３が、回転軸Ｘ方向で第１遊星減速ギア４と重なる範囲を持って設けられると共に、ベアリングＢ３が、回転軸Ｘの径方向で、第２遊星減速ギア５の外周よりも内径側に配置される。
ベアリングＢ３は、第１遊星減速ギア４の外径側で、回転軸Ｘ方向における第２遊星減速ギア５の側方の領域を利用して配置される。動力伝達装置１Ａ内の空間をより有効に活用できる。
【０１３２】
ここで、本明細書における用語「下流に接続」とは、上流に配置された部品から下流に配置された部品へと動力が伝達される接続関係にあることを意味する。
例えば、モータ２の下流に接続された第１遊星減速ギア４という場合は、モータ２から第１遊星減速ギア４へと動力が伝達されることを意味する。
また、本明細書における用語「直接接続」とは、他の減速機構、増速機構、変速機構などの減速比が変換される部材を介さずに部材同士が動力伝達可能に接続されていることを意味する。
【０１３３】
以上、本願発明の実施形態を説明したが、本願発明は、これら実施形態に示した態様のみに限定されるものではない。発明の技術的な思想の範囲内で、適宜変更可能である。
【図１】
0006973966.tif 000002
【図２】
0006973966.tif 000003
【図３】
0006973966.tif 000004